(57)【要約】  【課題】  簡単な操作で、素早く目的のコンテンツを得ることのできるシステムを提供する。  【解決手段】  インターネット上のコンテンツを検索するにあたり、予め設定された順序に基づいて整列させた抽出メタデータの先頭から２枚をクライアントの表示部に上下２段に表示する。表示部の上段を基準データ表示部、下段を対照データ表示部に形成し、上下に表示されている抽出データをクライアントが対比し、基準データ表示部に表示されているメタデータと対照データ表示部に表示されているメタデータのうちクライアントの希望により近いと判断したデータを基準データとし、対照データ表示部に抽出データ群から次のデータを表示する。【選択図】    図２
2005196391.tif 000002
【特許請求の範囲】
【請求項１】
クライアントからの検索要求にしたがってデータベースを検索する検索サーバーを有する検索処理システムを構成し、この検索処理システムのデータベースに各コンテンツサーバーのデータを階層的に分割したセグメントの特徴記載を行ったメタデータをキーワードと共に格納し、
制約条件を付加したクライアントからの検索要求にしたがって、検索サーバーで前記データベースを検索し、前記制約条件に合致したメタデータを抽出し、この抽出メタデータをクライアントのディスプレーに表示するにあたり、予め設定された順序に基づいた２枚の抽出メタデータをクライアントの表示部に上下２段に表示し、この上下２段の表示部の上段を基準データ表示部、下段を対照データ表示部に形成し、
上下に表示されているメタデータをクライアントが対比し、基準データ表示部に表示されているメタデータがクライアントの希望により近いと判断した場合には、クライアントは抽出データ群から次のデータを対照データ表示部に呼び出して対比し、
上下に表示されているメタデータのうち対照データ表示部に表示されているメタデータがクライアントの希望により近いと判断した場合には対照データ表示部に表示されているメタデータを基準データ表示部に移動させて新たな基準データとするとともに、対照データ表示部に抽出データ群から次のデータを表示するようにし、
この基準データと対照データとの対比を繰返して全ての抽出データを表示するように構成したことを特徴とするインターネットでの検索データ表示方法。
【請求項２】
検索サーバーに異なるメタデータのキーワード対応表を用意し、制約条件を付加したクライアントからの検索要求に対応できるように構成した請求項１に記載したインターネットでの検索データ表示方法。
【請求項３】
コンテンツサーバーがｅラーニング教材に関するコンテンツサーバーである請求項１または２に記載したインターネットでの検索データ表示方法。
【発明の詳細な説明】
【技術分野】
【０００１】
本発明は、インターネット上で所望のコンテンツを容易に選択できるようにするシステムに関し、特に、ｅラーニング教材等のコンテンツを選択するのに便利なシステムに関する。
【背景技術】
【０００２】
現在、インターネット等を利用してさまざまな情報をユーザに配信することが行われている。インターネットに接続されているコンテンツサーバーによる文書データや画像データは莫大な数となり、このようなデータに対してキーワード検索を可能とするシステムが知られている。
【０００３】
この従来のシステムは、クライアントからキーワードによる検索要求を検索サーバーに送出すると、検索サーバーはメタデータを格納したデータベースを検索し、キーワードに対応したメタデータ、コンテンツデータ、リンク情報を例えばＨＴＭＬによる応答としてクライアントに送出するようにし、クライアントはこの応答をＵＲＬ等によりコンテンツサーバーにアクセスして所望のデータをダウンロードして、閲覧可能とするようになっている。
【特許文献１】特開２００２−３３４１０３号(段落０００２、段落０００３参照)
【発明の開示】
【発明が解決しようとする課題】
【０００４】
ところが、従来のシステムでは、キーワード検索の結果は、一覧で表示されていることから、クライアントはその一覧リストから択一的に選択する以外に方法は無かった。このため、思い通りのコンテンツを探し出すためには、一覧リストを何度も眺め直すなどの不便があった。
【０００５】
また、各業界、団体で独自のデータ項目を利用しているため、業界・団体をまたがった横断的な検索を行えないという不便さもあることから、メタデータを用いるようにしているが、メタデータのバージョンが代わったり、項目をローカライズされた場合には、横断的な検索ができないばかりか、同一の業界・団体であっても、バージョンの違いにより検索にヒツトしない場合が発生するという問題もあった。
【課題を解決するための手段】
【０００６】
本発明は、このような点に着目してなされたもので、簡単な操作で、素早く目的のコンテンツを得ることのできるシステムを提供することを目的とする。
【０００７】
上述の目的を達成するために請求項１に記載の発明は、検索条件にヒットした抽出データを予め設定されている条件に応じて整列させ、この整列している抽出データの先頭側の２枚をクライアントの表示部に上下２段に表示させ、その上段を基準データ表示部、下段を対照データ表示部にそれぞれ形成し、基準データ表示に表示されている基準データと、対照データ表示部に表示されている対照データとを対比して、より希望に近いものを新たな基準データとして、順次抽出データを対照データ表示部に表示するようにしている。
【０００８】
また、請求項２に記載の発明は、検索サーバーに異なるメタデータのキーワード対応表を用意し、メタデータのバージョンが代わったり、項目をローカライズされた場合にも制約条件を付加したクライアントからの検索要求に対応できるように構成している。
【０００９】
さらに、請求項３に記載の発明は、ｅラーニング教材のコンテンツの検索に使用することを特徴としている。
【発明の効果】
【００１０】
本発明では、検索条件に合致して抽出したデータを予め設定されている条件に応じて整列させ、この整列している抽出データの先頭側の２枚をクライアントの表示部に上下２段に表示させ、その上段を基準データ表示部、下段を対照データ表示部にそれぞれ形成し、基準データ表示部に表示されている基準データと、対照データ表示部に表示されている対照データとを対比して、より希望に近いものを新たな基準データとして、順次抽出データを対照データ表示部に表示するようにしていることから、全ての抽出データを閲覧したのちには、最適と思われるデータが基準データとしてディスプレー上段に表示されることになる。これにより、インターネット上で所望のコンテンツを容易に選択できることになる。
【００１１】
さらに、請求項２に示すように、検索サーバーに異なるメタデータのキーワード対応表を用意しておくと、メタデータのバージョンが代わったり、項目をローカライズされた場合でも、検索キーワードに対応する各メタデータでの項目やバージョンで使用しているキーワードで検索することができるから抽出データの信頼性が高まることになる。
【発明を実施するための最良の形態】
【００１２】
本発明は、クライアントからの検索要求にしたがってデータベースを検索する検索サーバーを有する検索処理システムであって、この検索処理システムのデータベースにインターネット上に散在している各コンテンツサーバーのデータを階層的に分割したセグメントの特徴記載を行ったメタデータがキーワードと共に格納してある。
【００１３】
以下、ｅラーニング教材のコンテンツを検索する場合について、説明する。
ｅラーニング教材のコンテンツを検索する場合、クライアントは、検索エンジンにアクセスして検索画面を表示する。
【００１４】
検索画面は図２に示すように、検索データ入力フレーム(１)とヒットしたデータを表示する検索結果表示フレーム(２)とが左右に区画され、検索結果表示フレーム(２)はさらに基準データフレーム(３)と対照データフレーム(４)とに上下に区画されている。そして、検索データ入力フレーム(１)には、複数の操作用ボタン(５)が配置してある。
【００１５】
クライアントは、検索画面の検索データ入力フレーム(１)に表示されているデータ入力部の必要な検索項目に値を入力し(ステップＳ１)、検索データ入力フレーム(１)に配置してある複数の操作用ボタン(５)から検索開始ボタン(５ａ)を選択して入力すると検索を開始する(ステップＳ２)。
【００１６】
検索結果は、ヒットした複数のメタデータを予め定められた条件で並べ変え、その１番目のデータを検索結果表示フレーム(２)の基準データ表示フレーム(３)に、２番目のデータを検索結果表示フレーム(２)の対照データ表示フレーム(４)とにそれぞれ表示する(ステップＳ３)。
【００１７】
クライアントは、検索結果表示フレーム(２)の基準データ表示フレーム(３)と対照データ表示フレーム(４)とに表示されているデータを比較し(ステップＳ４)、どちらのフレームに表示されているデータが自分の要求によりかなっているかを判断し(ステップＳ５)、基準データ表示フレーム(３)に表示されているデータの方が自分の要求によりかなっていると判断した際には、検索データ入力フレーム(１)に配置してある複数の操作用ボタン(５)から次データボタン(５ｂ)を選択して入力し(ステップＳ６)、ヒツトして抽出した全てのデータを表示して比較したか否かを判断し(ステップＳ７)、未表示の抽出データがある場合には次のデータを検索結果表示フレーム(２)の対照データ表示フレーム(４)に表示してステップＳ３以降の手順を繰返す。
【００１８】
そして、ステップＳ５の判断において、対照データ表示フレーム(４)に表示されているデータの方が自分の要求によりかなっていると判断した際には、検索データ入力フレーム(１)に配置してある複数の操作用ボタン(５)から基準ボタン(５ｃ)を選択して入力して(ステップＳ８)、対照データ表示フレーム(４)に表示されているデータを基準データ表示フレーム(３)に移して表示し(ステップＳ９)、前記ステップＳ７に戻ってヒツトして抽出した全てのデータを表示して比較したか否かを判断し(ステップＳ７)、未表示の抽出データがある場合には次のデータを検索結果表示フレーム(２)の対照データ表示フレーム(４)に表示してステップＳ３以降の手順を繰返す。
【００１９】
ヒットした全てのデータに対して比較が終了すると、最終的には、クライアントの求めるコンテンツに１番近いメタデータが基準データ表示フレーム(３)に表示されていることになる(ステップＳ１０)。
【００２０】
比較作業中でも、検索項目の値を指定しなおすことにより、対照データ表示フレーム(４)のメタデータを検索しなおすことができるようにしてある。
【００２１】
なお、メタデータの項目は、利用目的に応じてローカライズできるようにしてある。ｅラーニング教材のコンテンツの場合、料金部分の表示を取ってみても、例えば価格と表示してあったり、料金と表示してあったりし、また、受講料を個人料金と法人料金とを設定したり、個人と法人とを区別することなく設定してあったりする。そこで、メタデータスキーム編集ツールを用いて、ローカライズ又はバージョンの違いの対応表を作成して、検索処理システムのデータベースに格納している。検索時には、この対応表を利用して、自動的に読み替え変換して検索を行うようにしてある。
【００２２】
上述のように構成した検索処理システムでは、検索時にヒットしたメタデータを仮に基準データとしたものと比較して、より検索者の意図に合致したものを新たな基準データとし、ヒットしたデータの全体を一巡表示した際に、検索者の意図に最も合致したものが、基準データとして表示されることになるから、ヒットしたデータを何度も眺めなおす手間が無くなる。
【産業上の利用可能性】
【００２３】
本発明は、インネット上での検索システムに利用することができる。
【図面の簡単な説明】
【００２４】
【図１】抽出データ表示の手順を示すフロー図である。
【図２】検索操作画面を示す図である。
【図３】操作時の概念を示す図である。
【図４】メタデータの変換を示す概念図である。
【図５】１つの検索ワードでの検索時で概念図である。
【図６】異なる検索ワードでの検索時の概念図である。
【図１】
2005196391.tif 000003
【図２】
2005196391.tif 000004
【図３】
2005196391.tif 000005
【図４】
2005196391.tif 000006
【図５】
2005196391.tif 000007
【図６】
2005196391.tif 000008